(57)【要約】【課題】ドラム表面の埃、ゴミなどの付着が無くなり、巻き付け不良、画像不良を防止でき、しかもドラム表面の清掃も不要となり、大幅なメンテ性の向上が図れる。【解決手段】記録材料Ｐを搬送する搬送手段Ａと、搬送手段Ａによって搬送された記録材料Ｐを保持する回転ドラム３１を備えた画像記録装置１において、回転ドラム３１のドラム表面に対し圧着と非圧着の状態を切り替えることができる粘着性ローラを有する。【選択図】図４
2004354421.tif 000002
【特許請求の範囲】
【請求項１】
記録材料を搬送する搬送手段と、前記搬送手段によって搬送された前記記録材料を保持する回転ドラムを備えた画像記録装置において、
前記回転ドラムのドラム表面に対し圧着と非圧着の状態を切り替えることができる粘着性ローラを有することを特徴とする画像記録装置。
【請求項２】
記録材料を搬送する搬送手段と、前記搬送手段によって搬送された前記記録材料を保持する回転ドラムと、前記回転ドラムに記録材料を装填する際に前記回転ドラムを駆動する駆動ローラを備えた画像記録装置において、
前記駆動ローラが粘着性を有することを特徴とする画像記録装置。
【請求項３】
前記駆動ローラは、前記回転ドラムに対し圧着と非圧着の状態を切り替えることができることを特徴とする請求項２に記載の画像記録装置。
【請求項４】
前記駆動ローラに、前記駆動ローラよりも更に粘着性の高いローラを圧着させたことを特徴とする請求項２または請求項３に記載の画像記録装置。
【請求項５】
前記ローラを装置から脱着可能としたことを特徴とする請求項４に記載の画像記録装置。
【請求項６】
前記記録材料が感光性材料であることを特徴とする請求項１乃至請求項５のいずれか１項に記載の画像記録装置。
【発明の詳細な説明】
【０００１】
【発明の属する技術分野】
この発明は、回転ドラムのドラム表面に記録材料を保持し、回転ドラムを回転させながら画像を記録する画像記録装置に関するものである。
【０００２】
【従来の技術】
近年、色分解網原稿フィルムを、切り貼りなどしたフィルムからではなく、ＤＴＰと呼ばれる装置で、色分解された文字網原稿画像データや写真網原稿画像データやベタ画像網原稿画像データなどの画像データから、画像データ上で切り貼りなどして、色分解網原稿画像データを作成し、イメージセッタと呼ばれる装置で、この色分解網原稿画像データから色分解網原稿フィルムを作成したり、ＣＴＰと呼ばれる装置で、直接、印刷版を作成することが行われている。
【０００３】
このようなＤＴＰを用いたシステムで行う校正作業としては、色分解網原稿画像データから色分解網原稿フィルムを作成し、色分解網原稿フィルムからカラープルーフを作成する方法だけでなく、色分解網原稿画像データから直接、カラープルーフを作成するＤＣＰが、最近行われている。
【０００４】
このＤＣＰには、色分解網原稿画像データに基づいて、ハロゲン化銀カラー写真感光材料をＬＥＤやレーザ光などによって露光することで、カラープルーフを作成するものなどがある。また、同様の書き込み系を用いたインクジェットプリンターなどによって、カラープルーフを作成することもある。
【０００５】
このような記録材料に画像を書き込む画像記録装置には、記録材料を搬送する搬送手段と、この搬送手段によって搬送された記録材料を保持する回転ドラムを備え、回転ドラムに巻付けられた記録材料に書き込む光学ユニットと、この光学ユニットをドラム軸方向に移動する移動手段とを有し、回転ドラムを回転させるとともに、光学ユニットをドラム軸方向に移動して記録材料に画像を書き込むものがある（例えば、特許文献１）。
【０００６】
【特許文献１】
特開２００１−２１５６２４号公報（第１〜第５頁、図２）
【０００７】
【発明が解決しようとする課題】
このような画像記録装置では、ドラム外周近傍に配置された駆動ローラをドラムに圧着し駆動することで、回転ドラムを回転しながら記録材料を回転ドラムに巻き付けている。回転ドラムは中空体であり、その表面に吸着孔が形成され、吸引ブロアを駆動することで、回転ドラムの内部を減圧し、記録材料をドラム表面に吸着保持する。回転ドラムは記録材料を保持した状態で回転すると同時に、光学ユニットをドラム軸方向ヘ平行移動することで画像の記録を行うが、記録材料を回転ドラムに巻き付けるとき、ドラム表面の吸着孔から空気が吸引され、また記録材料が巻き付き完了した時でも特にサイズの小さい記録材料を回転ドラムに保持する場合、大サイズ用の吸着孔は開放された状態のため、その吸着孔から空気が吸引される。
【０００８】
このため、経時によりドラム表面に装置外部からの繊細な埃、ゴミなどが蓄積しやすくなる。また、記録材料の裏面がドラム表面と接触することで、記録材料の裏面のコーティング剤がドラム表面に付着する。また、記録材料端面は装置内でカットされるため、カット時に紙粉が発生し、それがドラム表面に付着することがある。
【０００９】
このように、埃、ゴミなどがドラム表面に付着した場合、その上に記録材料を巻き付けると、本来ドラム表面に密着した状態に保持される記録材料が、部分的に回転ドラムから離れた状態になり、露光時にピントがずれて画像不良が発生する。このため、ドラム表面は定期的に清掃をする必要があるが、回転ドラム周りには搬送ガイド、光学ユニットが配置され、またカバー類で覆われているため、その清掃作業には工数がかかる等の問題がある。
【００１０】
この発明は、以上の問題点に鑑みてなされたもので、ドラム表面の埃、ゴミなどの付着が無くなり、巻き付け不良、画像不良を防止でき、しかもドラム表面の清掃も不要となり、大幅なメンテナンス性の向上が図れる画像記録装置を提供することを目的としている。
【００１１】
【課題を解決するための手段】
前記課題を解決し、かつ目的を達成するために、この発明は、以下のように構成した。
【００１２】
請求項１に記載の発明は、記録材料を搬送する搬送手段と、前記搬送手段によって搬送された前記記録材料を保持する回転ドラムを備えた画像記録装置において、
前記回転ドラムのドラム表面に対し圧着と非圧着の状態を切り替えることができる粘着性ローラを有することを特徴とする画像記録装置である。
【００１３】
この請求項１に記載の発明によれば、回転ドラムのドラム表面に対し圧着と非圧着の状態を切り替えることができる粘着性ローラを有し、給排紙時に粘着性ローラがドラム表面と圧着された状態で回転するため、ドラム表面に付着している埃、ゴミなどが粘着性ローラへ付着し、ドラム表面は埃、ゴミなどの付着が無くなる。
【００１４】
請求項２に記載の発明は、記録材料を搬送する搬送手段と、前記搬送手段によって搬送された前記記録材料を保持する回転ドラムと、前記回転ドラムに記録材料を装填する際に前記回転ドラムを駆動する駆動ローラを備えた画像記録装置において、
前記駆動ローラが粘着性を有することを特徴とする画像記録装置である。
【００１５】
この請求項２に記載の発明によれば、駆動ローラが粘着性を有し、給排紙時に駆動ローラがドラム表面と圧着された状態で回転するため、ドラム表面に付着している埃、ゴミなどが駆動ローラへ付着し、ドラム表面は埃、ゴミなどの付着が無くなる。
【００１６】
請求項３に記載の発明は、前記駆動ローラは、前記回転ドラムに対し圧着と非圧着の状態を切り替えることができることを特徴とする請求項２に記載の画像記録装置である。
【００１７】
この請求項３に記載の発明によれば、駆動ローラは、回転ドラムに対し圧着と非圧着の状態を切り替えることができ、給排紙時に駆動ローラがドラム表面と圧着された状態で回転するため、ドラム表面に付着している埃、ゴミなどが駆動ローラへ付着し、ドラム表面は埃、ゴミなどの付着が無くなる。
【００１８】
請求項４に記載の発明は、前記駆動ローラに、前記駆動ローラよりも更に粘着性の高いローラを圧着させたことを特徴とする請求項２または請求項３に記載の画像記録装置である。
【００１９】
この請求項４に記載の発明によれば、駆動ローラに、駆動ローラよりも更に粘着性の高いローラを圧着させたことで、粘着性の高いローラの汚れを定期的にふき取ることで済むため、従来と比べて大幅なメンテナンス性の向上が図れる。
【００２０】
請求項５に記載の発明は、前記ローラを装置から脱着可能としたことを特徴とする請求項４に記載の画像記録装置である。
【００２１】
この請求項５に記載の発明によれば、ローラを装置から脱着可能としたから、ローラの清掃が簡便になり、メンテナンスの作業性が良くなる。
【００２２】
請求項６に記載の発明は、前記記録材料が感光性材料であることを特徴とする請求項１乃至請求項５のいずれか１項に記載の画像記録装置である。
【００２３】
この請求項６に記載の発明によれば、記録材料が感光性材料であり、例えばＬＥＤやレーザ光などによって露光することで、カラープルーフを作成するものなどに使用できる。
【００２４】
【発明の実施の形態】
以下、この発明の画像記録装置の実施の形態について説明するが、この発明は、実施の形態に限定されるものではない。また、この発明の実施の形態は、発明の最も好ましい形態を示すものであり、この発明の用語は、これに限定されない。
【００２５】
この発明の画像記録装置を適用したカラープルーフ作成装置は、図１乃至図４に示すように構成される。図１はカラープルーフ作成装置の概略構成図、図２は露光装置の概略構成を示す正面図、図３は露光装置の概略構成を示す平面図、図４は回転ドラムのクリーニング機構を示す図である。
【００２６】
カラープルーフ作成装置１の装置本体２には、露光ユニット３及び現像処理ユニット４が備えられている。露光ユニット３の上部には、現像部側にセット部７が配置される。セット部７には、記録材料遮光用カバー９が開閉可能に設けられ、記録材料遮光用カバー９によりロール状の感光材料またはペーパー等の記録材料を収納した一対の記録材料装填用マガジン１０がセット可能である。
【００２７】
現像処理ユニット４の側部には排紙部１５が設けられ、処理された記録材料が排紙部１５に排出される。
【００２８】
露光ユニット３には、給紙部２０、主走査部３０、副走査部４０及びアキュームレータ部６０が備えられている。給紙部２０には、搬送ローラ対２１、カッター部２２及び回転ローラ２３が記録材料装填用マガジン１０に対応して配置されている。記録材料装填用マガジン１０に対応して配置された搬送ローラ対２１により記録材料を引き出して、カッター部２２で所定の長さに切断し、回転ローラ２３、エンコーダローラ９０、スクイズローラ２５を介して主走査部３０へ送るようになっている。
【００２９】
主走査部３０及び副走査部４０が記録材料に画像を記録する露光部５００を構成し、主走査部３０には、円筒を構成する回転ドラム３１が回転可能に設けられ、記録材料が回転ドラム３１の外表面に吸着されて一体に回転する。回転ドラム３１に対向して光学ユニット３２が配置され、光学ユニット３２は副走査部４０によりドラム軸と平行に移動可能になっている。光学ユニット３２は、デジタル画像信号を受けて回転ドラム３１に吸着された記録材料にレーザービームで露光して画像の書き込みを行なう。
【００３０】
アキュームレータ部６０は、露光部５００から露光された記録材料を現像処理する現像処理ユニット４に備えられるプロセッサ部６００へ受け渡すために、記録材料を一時停留させる。このアキュームレータ部６０は、書き込みが終了した記録材料を回転ドラム３１から剥離してプロセッサ部６００へ送り込む。このとき、プロセッサ部６００の搬送速度の方が露光部５００の排紙速度より遅い場合は、排紙速度が高速のままアキュームレータ部６０に送り込み、記録材料をアキュームレータ部６０に垂れ下がるようにしてアキュームさせ、プロセッサ部６００との搬送タイミングを合わせ、露光部５００の処理能力を落とさないようにしている。
【００３１】
現像処理ユニット４のプロセッサ部６００には、第２露光部４１（以下、反転露光ダイレクトポジ感材の例で記載する）、現像部４２、定着部４３、安定部４４及び乾燥部４５が備えられている。第２露光部４１により露光部５００で露光されなかった部分の記録材料が疑似画像を形成し、第２露光された記録材料は、現像部４２、定着部４３及び安定部４４へ搬送して現像処理され、この処理された記録材料は乾燥部４５で乾燥して排紙部１５へ送出される。
【００３２】
次に、露光装置の構成を、図１乃至図４に基づいて詳細に説明する。
【００３３】
セット部７には、記録材料装填用マガジン１０が記録材料Ｐの先端を所定長さ引き出した状態で、給紙部２０の搬送ローラ対２１のローラ２１ａ，２１ｂの間の位置にセットする。いずれかの記録材料装填用マガジン１０から記録材料Ｐが供給される搬送中は、ローラ２１ｂを搬送位置に移動させて記録材料Ｐを対向するローラ２１ａ，２１ｂとの間で圧着する。それぞれのカッター部２２とエンコーダローラ９０との間には、基準センサＳ１、回転ローラ２３及びガイド２６がそれぞれ設けられている。
【００３４】
エンコーダローラ９０は、基準センサＳ１が記録材料の先端部を検出し、この先端部の検出から記録材料の搬送により回転して記録材料の送り量を検出し、所定の長さでカッター部２２を作動して記録材料を切断する。カッター部２２の後段には、シャッター２７が配置され、記録材料の搬送路の遮光とゴミ等の進入を防止する。ローラ２１ａ，２１ｂの前段には、記録材料の終端部を検出する後端検出センサＳ２が配置されている。記録材料装填用マガジン１０に対応して配置された搬送ローラ対２１により記録材料を引き出して、カッター部２２で所定の長さに切断し、回転ローラ２３を介して主走査部３０へ送るようになっており、この搬送ローラ対２１、カッター部２２及び回転ローラ２３が記録材料装填用マガジン１０から記録材料を供給する搬送手段Ａを構成する。
【００３５】
主走査部３０の回転ドラム３１の両端の軸部３１ａ，３１ｂは、軸受３３ａ，３３ｂを介して支持台３４ａ，３４ｂに回転可能に軸支されている。回転ドラム３１の一方の軸部３１ａには、駆動プーリ３５ａが設けられ、この駆動プーリ３５ａはドラム回転モータＭ６の出力プーリ３５ｂとベルト３６により連結され、ドラム回転モータＭ６の駆動により回転ドラム３１が回転する。また、回転ドラム３１の一方の軸部３１ｂには、ロータリーエンコーダ３７が設けられ、回転パルスを出力してドラム回転に同期した画素クロック制御に用いる。
【００３６】
回転ドラム３１の一方の軸部３１ａは、空気吸引手段２００を構成する吸引ブロアに連結されている。回転ドラム３１は中空体で形成され、表面には貫通孔３ｌｃが形成され、空気吸引手段２００の駆動により回転ドラム３１の内部が減圧されて記録材料が回転ドラム３１の表面に吸着される。
【００３７】
光学ユニット３２には、ＬＤまたはＬＥＤ等の光源が、各波長相当に対応して複数あり、例えば回転ドラム３１上の記録材料に画像を露光する。
【００３８】
光学ユニット３２は、移動手段７００によりドラム軸方向に移動可能になっている。移動手段７００は、光学ユニット３２の移動をガイドするガイド部材３４１，３４２と、光学ユニット３２を移動する回転可能なボールネジ３４０とを有し、このボールネジ３４０は駆動モータＭ７により回転される。駆動モータＭ７はモータ軸３４３を有し、モータ軸出力側にカップリング３４４を介してボールネジ３４０の一端部が設けられ、駆動モータＭ７のモータ軸非出力側に重り３４５が設けられている。
【００３９】
この重り３４５は、円筒状に形成されているが、これに限定されず、三角筒状、四角筒状などであってもよく、駆動モータＭ７のロータ慣性モーメントを擬似的に増加させており、振動に影響がある共振周波数ｆを変化することができ、簡単な構造で、ボールネジ３４０の振動を抑えることが可能である。
【００４０】
駆動モータＭ７の駆動により、カップリング３４４を介してボールネジ３４０が正回転、または逆回転して光学ユニット３２がドラム軸と平行に移動する。
【００４１】
この露光部５００からプロセッサ部６００へ受け渡すために、記録材料を一時停留させるアキュームレータ部６０は、回転ドラム３１に吸引された記録材料を剥離する剥離ガイド６１、搬送ガイド６２、アキュームレータ部６０におけるプロセッサ部６００のシート入口側に配された排出ローラ６４とを有し、回転ドラム３１に巻かれた記録材料を剥離してプロセッサ部６００へ送る。
【００４２】
この実施の形態には、回転ドラム３１に記録材料を装填する際に回転ドラム３１を駆動する駆動ローラ２２９が備えられている。この駆動ローラ２２９は中間部がピン２２９ａにより回転可能に支持されたレバー２２９ｂの一方の端部側に回転可能に取り付けられている。駆動モータＭ４の動力がベルト２４０によって駆動ローラ２２９に伝達されて回転する。
【００４３】
更に、レバー２２９ｂの他方の端部側には、駆動ローラ圧着解除モータＭ５が設けられ、この駆動ローラ圧着解除モータＭ５によって、先端部にピン２２９ｃが設けられたレバー２２９ｄが回転されるようになっている。そして、レバー２２９ｂは、その他方の端部側がレバー２２９ｄのピン２２９ｃに当接する方向にばね２２９ｅによって付勢されている。
【００４４】
駆動ローラ圧着解除モータＭ５を回転駆動することにより、レバー２２９ｂがピン２２９ａを中心に回転し、駆動ローラ２２９が回転ドラム３１に対して当接（圧着）／離反（非圧着）するようになっている。
【００４５】
また、レバー２２９ｂの他方の端部側には、圧着センサＳ７、解除センサＳ８が設けられ、駆動ローラ２２９の状態が検出されるようになっている。また、駆動ローラ２２９が圧着状態にあるとき、駆動ローラ２２９は回転ドラム３１に当接するのみならず、ローラ２２９ｆに当接するようになっている。
【００４６】
スクイズローラ２５及び駆動ローラ２２９は回転ドラム３１を回転させ、同時にスクイズローラ２５は感光材料Ｐにヨレが生じないようにスクイズする。また回転ドラム３１に巻き付けられた感光材料Ｐが駆動ローラ２２９を通過する際は、駆動ローラ２２９を非圧着状態としてスクイズローラ２５で回転ドラム３１を駆動してもよい。スクイズローラ２５及び駆動ローラ２２９はリンク機構（図示していない）により回転ドラム３１に圧着するする際は、１つの駆動モータにて圧着動作を行なってもよい。
【００４７】
この実施の形態では、駆動ローラ２２９が粘着性を有し、給排紙時に駆動ローラ２２９がドラム表面と圧着された状態で回転するため、ドラム表面に付着している埃、ゴミなどが駆動ローラ２２９へ付着し、ドラム表面は埃、ゴミなどの付着が無くなる。
【００４８】
駆動ローラ２２９は、例えば粘着性を有するゴムローラで構成され、硬度が８〜６０度であるものが好ましく用いられるが、これに限定されない。
【００４９】
駆動ローラ２２９は、回転ドラム３１に対し圧着と非圧着の状態を切り替えることができ、給排紙時に駆動ローラ２２９がドラム表面と圧着された状態で回転するため、ドラム表面に付着している埃、ゴミなどが駆動ローラへ付着し、ドラム表面は埃、ゴミなどの付着が無くなる。このため、回転ドラム３１から記録材料が部分的に離れた状態が無くなり、巻き付け不良、画像不良を防止できる。また、例えば数ヶ月に１回程度必要であったドラム表面の清掃も不要となる。
【００５０】
ローラ２２９ｆは、駆動ローラ２２９よりも更に粘着性の高いローラで構成され、駆動ローラ２２９に、駆動ローラ２２９よりも更に粘着性の高いローラを圧着させたことで、駆動ローラ２２９に付着する埃、ゴミなどがローラ２２９ｆに移る。この粘着性の高いローラ２２９ｆの汚れを定期的にふき取ることで済むため、従来と比べて大幅なメンテナンス性の向上が図れる。
【００５１】
このローラ２２９ｆは、画像記録装置から脱着可能であり、ローラ２２９ｆを画像記録装置から脱して清掃することができる。このようにローラ２２９ｆを脱着可能としたから、ローラの清掃が簡便になり、メンテナンスの作業性が良くなる。
【００５２】
この実施の形態では、駆動ローラ２２９を例えば粘着性を有するゴムローラで構成しているが、スクイズローラ２５を駆動ローラ２２９と同様に例えば粘着性を有するゴムローラで構成してもよく、スクイズローラ２５を回転ドラム３１のドラム表面に対し圧着と非圧着の状態を切り替える。
【００５３】
また、駆動ローラ２２９またはスクイズローラ２５とは別に、図５に示すように、回転ドラム３１のドラム表面に対し圧着と非圧着の状態を切り替えることができる粘着性ローラ２３０を設けることができる。
【００５４】
この粘着性ローラ２３０は、回転ドラム３１を駆動することはできないローラであるが、給排紙時に粘着性ローラ２３０がドラム表面と圧着された状態で回転するため、ドラム表面に付着している埃、ゴミなどが粘着性ローラ２３０へ付着し、ドラム表面は埃、ゴミなどの付着が無くなる。
【００５５】
【発明の効果】
以上詳細に説明したように、請求項１乃至請求項６に記載の発明では、給排紙時に粘着性ローラ、あるいは粘着性を有するローラが回転ドラムのドラム表面と圧着された状態で回転するため、ドラム表面に付着している埃、ゴミなどが粘着性ローラ、あるいは粘着性を有するローラへ付着し、ドラム表面は埃、ゴミなどの付着が無くなるため、回転ドラムから記録材料が部分的に離れた状態が無くなり、巻き付け不良、画像不良を防止できる。
【００５６】
また、例えば数ヶ月に１回程度必要であったドラム表面の清掃も不要となり、粘着性ローラ、あるいは粘着性を有するローラの汚れを定期的にふき取ることで済むため、従来と比べて大幅なメンテナンス性の向上が図れる。
【００５７】
さらに、粘着性ローラ、あるいは粘着性を有するローラに付着した埃、ゴミを取るために、着脱式とすることで清掃が簡便になり、メンテナンスの作業性が良くなる。
【図面の簡単な説明】
【図１】カラープルーフ作成装置の概略構成図である。
【図２】露光装置の概略構成を示す正面図である。
【図３】露光装置の概略構成を示す平面図である。
【図４】回転ドラムのクリーニング機構を示す図である。
【図５】回転ドラムの他の実施の形態のクリーニング機構を示す図である。
【符号の説明】
１  カラープルーフ作成装置
２  装置本体
３  露光ユニット
４  現像処理ユニット
１０  記録材料装填用マガジン
３１  回転ドラム
２００  空気吸引手段
７００  移動手段
Ａ  搬送手段
【図１】
2004354421.tif 000003
【図２】
2004354421.tif 000004
【図３】
2004354421.tif 000005
【図４】
2004354421.tif 000006
【図５】
2004354421.tif 000007